(57)【要約】      （修正有）【課題】安全であり、肌触りや保温性に優れ、組み立てや運搬も容易に行うことができるヘッドボード、及び、該ヘッドボードを備えた寝台を提供する。【解決手段】寝台本体１２に取り付けられたヘッドボード１３を、該ヘッドボード１３の表面を覆うカバー体３５と、該カバー体３５の内側に備え、上記ヘッドボード１３を補強する芯材３４とで構成し、上記カバー体３５を、クッション部材で構成し、必要に応じて上記カバー体３５に、上下方向に伸びる複数の溝部４２を幅方向へ配設し、上記ヘッドボード１３を平面視凹凸形状に形成した。【選択図】図２
0003149408.tif 000002
【実用新案登録請求の範囲】
【請求項１】
寝台本体に取り付けられたヘッドボードを、
該ヘッドボードの表面を覆うカバー体と、
該カバー体の内側に備え、上記ヘッドボードを補強する芯材とで構成し、
上記カバー体を、クッション部材で構成した
寝台。
【請求項２】
上記カバー体に、上下方向に伸びる複数の溝部を幅方向へ配設し、
上記ヘッドボードを平面視凹凸形状に形成した
請求項１に記載の寝台。
【請求項３】
上記カバー体を、上記芯材に対して着脱可能な袋状に構成した
請求項１、又は、２に記載の寝台。
【請求項４】
上記カバー体を、表地と、不織布からなる裏地と、上記表地と上記裏地との間に配した上記クッション部材とを積層した積層シート状部材で構成し、
上記溝部を、上記表地、上記裏地、及び、上記クッション部材を一体に縫着する縫着ラインにより形成した
請求項２、又は、３に記載の寝台。
【請求項５】
上記寝台本体に、該寝台本体を支持する支持脚部を備え、
上記ヘッドボードと上記支持脚部とを一体に構成した
請求項１から請求項４のうちいずれか１項に記載の寝台。
【請求項６】
表面を覆うカバー体と、
該カバー体の内側に備えた補強用の芯材とで構成し、
上記カバー体を、クッション部材で構成した
ヘッドボード。
【考案の詳細な説明】
【技術分野】
【０００１】
この考案は、マットレスやベッドなどの寝台に備えたヘッドボードに関し、詳しくは、合板製のヘッドボードのように揮発性の化学物質からなる接着剤を用いずに形成したヘッドボード、並びに、このようなヘッドボードを備えることで、安全で快適に用いることができる寝台に関する。
【背景技術】
【０００２】
ベッド本体に取り付けられるヘッドボードは、合板、ＭＤＦ（中質繊維板）、集成板など（以下、「合板など」という。）の材料で形成されたものが広く普及している。  
例えば、特許文献１における「集積型化粧ボード」もその１つである。  
特許文献１における「集積型化粧ボード」は、板材を接着材で貼り合わせて形成され、ベッドのヘッドボードとして用いることができるものである。
【０００３】
このようにヘッドボードを合板などで形成する場合、ホルムアルデヒド（ホルマリン）といった有害な化学物質が含まれた接着剤が用いられる。
【０００４】
ホルムアルデヒドは、発がん性を有することや、室内空気汚染の原因として「シックハウス症候群」との関連性が指摘され、人体への影響が危惧されている。さらに、刺激臭も有するため、このようなホルムアルデヒドを含むヘッドボードを備えることは、安全性、快適性の観点で課題を有するといわざるを得ない。
【０００５】
また、合板などはホルムアルデヒドの放出量に応じて規格が定められ、この規格を満たさなければ国内市場での流通が制限される。
【０００６】
よって、ヘッドボードは、中国で製造され、日本へ輸入されるものも多いが、合板などで形成した場合、ホルムアルデヒドの放出量に応じて中国で定められた規格に合格しても、日本でのより厳格な基準を満足せず、国内販売することができないといった不具合も生じていた。
【０００７】
なお、最近では、ホルマリン臭を発生させない合板なども開発されているが、まだまだ普及しておらず、コストが高くなるという難点がある。
【０００８】
一方、ヘッドボードの中には、無垢材で形成されたものも存在するが、高価であり、割れや反りが発生するという難点を有する。さらに、重く持ち運びや組み立ての際に労力を要するという難点も有していた。
【先行技術文献】
【特許文献】
【０００９】
【特許文献１】特開２００２−３３７１０６号公報
【考案の概要】
【考案が解決しようとする課題】
【００１０】
そこで本考案では、安全であり、肌触りや保温性に優れ、組み立てや運搬も容易にすることができるヘッドボード、及び、該ヘッドボードを備えた寝台の提供を目的とする。
【課題を解決するための手段】
【００１１】
本考案は、寝台本体に取り付けられたヘッドボードを、該ヘッドボードの表面を覆うカバー体と、該カバー体の内側に備え、上記ヘッドボードを補強する芯材とで構成し、上記カバー体を、クッション部材で構成したことを特徴とする。
【００１２】
上記構成により、上記ヘッドボードは、合板などを使用しないで構成できるため、合板などで形成したベッドボードのように、有害な化学物質を含む接着剤を使用しないで構成することができ、快適、且つ、安全に用いることができる。
【００１３】
さらに、上記ヘッドボードは、無垢材で形成したベッドボードと比較して軽量化を図ることができるため、運搬や組み立てを容易に行うことができる。さらに、無垢材のように反りや割れが発生するおそれもなく、コストも抑えることができる。
【００１４】
さらにまた、ヘッドボードの表面側をクッション部材で形成できるため、長期に亘って使用しても表面が傷つくことがなく、優れた肌触りや保温性を有して構成することができる。
【００１５】
上記寝台は、例えば、ベッドやマットレスなど横になった状態の身体を支持することができるものを含む。さらに例えば、背凭れが起伏するリクライニング式、折り畳み式のものも含む。さらに、寝台は、寝台本体を支持する脚を備えた構成であっても、備えていない構成であってもよい。
【００１６】
上記クッション部材は、例えば、綿などの天然繊維や化学繊維、ウレタンフォームといった柔軟な部材で構成することができる。
【００１７】
この考案の態様として、上記寝台は、上記カバー体に、上下方向に伸びる複数の溝部を幅方向へ配設し、上記ヘッドボードを平面視凹凸形状に形成することができる。
【００１８】
このように上記ヘッドボードを平面視凹凸形状に形成することで、クッション部材が不用意に位置ずれし難くなるため、型くずれせずに長期に亘って使用することができる。
【００１９】
さらに、上記ヘッドボードの上記マットレス本体と対向する側の表面は、平面視凹凸形状で形成されているため、該ヘッドボードの表面に、寝台本体の上面に載置した布団やカバー（シーツ）がしっかりとフィットし、寝台本体に対して位置ずれしたり、ずれ落ちることを防ぐことができる。
【００２０】
さらにまた、使用者がヘッドボードを例えば、背凭れとして使用した場合、凹凸形状のヘッドボード表面が背中部分に押し当たり、指圧効果を得ることができる。さらに、ヘッドボードと背中との間には、ヘッドボード表面の凹凸形状の溝部を確保することができ、通気性に優れるため、読書などで長時間凭れても、快適性を確保することができる。  
また、ヘッドボードは、平面視凹凸形状であるため、立体感を醸し出すことができ、優れたデザイン性を有して構成することができる。
【００２１】
またこの考案の態様として、上記カバー体を、上記芯材に対して着脱可能な袋状に構成することができる。
【００２２】
上記構成により、ヘッドボードは、上記カバー体を芯材に被覆するだけで、カバー体と芯材とを一体化することができるため、容易に製造することができる。
【００２３】
さらに、上記カバー体は、芯材から容易に取り外すことができるため、必要に応じて丸洗いすることができる。
【００２４】
またこの考案の態様として、上記カバー体を、表地と、不織布からなる裏地と、上記表地と上記裏地との間に配した上記クッション部材とを積層した積層シート状部材で構成し、上記溝部を、上記表地、上記裏地、及び、上記クッション部材を一体に縫着する縫着ラインにより形成することができる。
【００２５】
上記構成により、上記積層シート状部材は、上記クッション部材をその両側から表地と裏地とで挟み込んだ構成であるため、一体性に優れ、クッション部材が型崩れすることを防ぐことができる。
【００２６】
さらに、上記縫着ラインを形成することにより、上記表地、上記裏地、及び、上記クッション部材を一体化できるとともに、溝部が形成されているため、カバー体表面を凹凸形状に構成することもできる。
【００２７】
またこの考案の態様として、上記寝台本体に、該寝台本体を支持する支持脚部を備え、上記ヘッドボードと上記支持脚部とを一体に構成することもできる。
【００２８】
また上述したように、上記ヘッドボードは、表面を覆うカバー体と、該カバー体の内側に備えた補強用の芯材とで構成し、上記カバー体を、クッション部材で構成することができる。
【考案の効果】
【００２９】
本考案は、安全であり、肌触りや保温性に優れ、組み立てや運搬も容易にすることができるヘッドボード、及び、該ヘッドボードを備えた寝台を提供することができる。
【図面の簡単な説明】
【００３０】
【図１】本実施形態におけるベッドの外観図。
【図２】本実施形態におけるベッドを一部破断して示した左側面図。
【図３】本実施形態におけるベッドのヘッドボード付近の平面図。
【図４】図３におけるＡ−Ａ線拡大断面図。
【図５】ヘッドボードの製造方法の説明図。
【図６】ヘッドボードの製造方法の説明図。
【図７】他の実施形態におけるベッドを一部破断して示した左側面図。
【考案を実施するための形態】
【００３１】
この考案の一実施形態を、以下図面を用いて説明する。  
本実施形態のベッド１１は、図１から図４に示すように、横たわった人を支持可能なベッド本体１２、ヘッドボード１３、ベッド本体１２を支持する支持脚部２５、逆Ｖ字型への折り畳みを補助する折畳補助構造１５を備えて構成している。  
なお、以下の説明では、図１中に示すようにベッド１１の長手方向（前後方向）をＸ方向に設定し、ベッド１１の幅方向をＷ方向に設定し、上下方向をＺ方向に設定して、説明を行なう。
【００３２】
ベッド本体１２は、横たわった人の主に上半身を載置する上半身載置部１２Ａと下半身を載置する下半身載置部１２Ｂとを長手方向Ｘに並べた構成である。
【００３３】
上半身載置部１２Ａ、下半身載置部１２Ｂには、それぞれ平面視コの字型（図示せず）をしたスチールパイプからなる本体フレーム１８を備え、該平面視コの字型の開口部分が互いに対向する形態で、長手方向Ｘの中間部においてブラケット１６を介して連結され、逆Ｖ字型に折り畳み可能に枢着している。
【００３４】
上半身載置部１２Ａ、下半身載置部１２Ｂは、図４に示すように、それぞれの下部に、本体フレーム１８によって支持され、鉄製の底板１７を備え、上記底板１７の上部には、ウレタンフォームからなるクッション性に優れた中材２４を備えている。  
なお、底板１７は、パンチングメッシュを施して軽量化を図っている。
【００３５】
さらに、上半身載置部１２Ａ、下半身載置部１２Ｂは、それぞれ上記本体フレーム１８、底板１７、中材２４全体をポリエステル製の張地２９により被覆している。
【００３６】
支持脚部２５は、ベッド本体１２を平面視したとき４隅部分を支持する４つ隅部側支持脚２７とベッド本体１２の長手方向Ｘの中間部を支持する中間支持脚２６とで構成している。
【００３７】
詳しくは、隅部支持脚２７は、ベッド本体１２の幅方向Ｗの両側であって、頭部側（前方側）端部に備えた２つの頭部側支持脚２７Ａと、足部側（後方側）端部に備えた２つの足部側支持脚２７Ｂとで構成している。
【００３８】
各隅部側支持脚２７は、該隅部側支持脚２７を正面視したとき、逆Ｔ字型をして、下部の長手方向Ｘには、２つのキャスタ１０を有し、上部が本体フレーム１８の側方に枢着されている。
【００３９】
中間支持脚２６は、ベッド１１の接地面を這うように幅方向Ｗに直線状に形成し、その長さ方向の両側部分を上方へ伸びる形状で形成し、上端部が上記ブラケット１６に溶着されている。
【００４０】
上記折畳補助構造１５は、図２に示すように付勢バネ３２、把持部３３とで構成している。  
付勢バネ３２は、折り畳み動作を円滑に行なうことが可能な弾性を有し、上半身載置部１２Ａと中間支持脚２６とに、及び、下半身載置部１２Ｂと中間支持脚２６とに、幅方向Ｗの中間部に係止して側面視Ｖ字状に張架している。  
把持部３３は、折り畳み操作の際に把持可能な中空パイプで形成し、下半身載置部１２Ｂの幅方向Ｗの両側に長手方向Ｘに沿って配し、その長さ方向の両端部は、本体フレーム１８に連結されている。
【００４１】
上記ヘッドボード１３は、ベッド本体１２の前方側端部の幅方向Ｗの中央部に備え、該ヘッドボード１３の外周形状を構成する閉ループ状のフレーム３４が埋設され、フレーム３４をカバー体３５で被覆して、ヘッドボード１３の表面を覆うように構成している。
【００４２】
フレーム３４の幅方向の両側部分の間、及び、上下方向の両側部分の間には、
ＰＰバンド５２（ポリプロピレン製のバンド）を架設し、カバー体３５で覆った状態でフレーム３４の内周側の厚み方向Ｘの強度を確保するため補強用の芯材として備えている。  
なお、このようにフレーム３４間を架設して補強することができるものであれば、ＰＰバンド５２に限らず、ゴム製のバンドなど他の手段で構成してもよく、また、このＰＰバンド５２は必須の構成ではなく、フレーム３４のみで芯材を構成してもよい。
【００４３】
カバー体３５は、図４に示すように裏地３６と表地３７とを備え、これら生地の間に中芯としてクッション性に優れたクッション部材３８を備えたキルティング生地で形成している。
【００４４】
カバー体３５の表面は、上下方向Ｚ（縦方向）に伸びる縫着ライン４１を例えば、約１インチ（約２５．４ｍｍ）という所定間隔ごとに複数形成している。縫着ライン４１により、図３、及び、図３中の一部拡大図に示すように、ヘッドボード１３の表面には、約１ｃｍの深さの溝部４２（凹部）が形成され、全体を平面視凹凸形状に形成している。  
ヘッドボード１３は、ボルト４８により上半身載置部１２Ａに取り付けられている。
【００４５】
ここで、ヘッドボード１３の中でもカバー体３５の製法、及び、ベッド本体１２への取り付け方法について図５（ａ），（ｂ）、及び、図６（ｃ），（ｄ）を用いて説明する。  
まず、図５（ａ）に示すように、板状のウレタンフォーム部材の両面側から裏地３６となる不織布生地、表地３７となるポリエステル生地を積層させ、図５（ｂ）に示すような積層シート状部材４６を構成する。さらに、図６（ｃ）、及び、図６（ｃ）の一部拡大図に示すように約１インチごとに複数の縫着ライン４１を形成し、表地３７、裏地３６、クッション部材３８を一体とする。
【００４６】
図６（ｄ）に示すように、縫着ライン４１を形成した積層シート状部材４６を下端部に開口部３５Ａを有した袋状に縫製し、カバー体３５を構成する。さらに、カバー体３５の開口部３５Ａの縁部の内側に、一対の面ファスナ４７ａ，４７ｂのそれぞれが互いに対向するよう縫着する。  
なお、本実施形態のヘッドボード１３のカバー体３５では、面ファスナ４７ａ，４７ｂを具備したが、面ファスナ４７ａ，４７ｂに限らず、例えば、スライドファスナ、ホック、スナップ、ボタンといった他の固定手段を具備してもよい。
【００４７】
続いて、図示しないが上記カバー体３５を、フレーム３４に対して上方から覆い、カバー体３５の下端部に有する開口部３５Ａを閉じるようにして一対の面ファスナ４７ａ，４７ｂ同士を係合する。
【００４８】
なお、フレーム３４には、カバー体３５を被せる前に、幅方向の両側部分、上下方向の両側部分の間にＰＰバンド５２を架設しておく。
【００４９】
最後に上記ヘッドボード１３の下部においてボルト４８をワッシャー４９を介してヘッドボード１３のフレーム３４に貫通させ、上半身載置部１２Ａの本体フレーム１８に締結すれば、図４に示すように、ヘッドボード１３をベッド本体１２に取り付けることができる。
【００５０】
上述した構成のベッド１１は、以下のような作用、効果を得ることができる。  
本実施形態のベッド１１は、ベッド本体１２に取り付けられたヘッドボード１３を、該ヘッドボード１３の表面を覆うカバー体３５と、該カバー体３５の内側に備え、上記ヘッドボード１３を補強するフレーム３４とで構成し、上記カバー体３５には、クッション部材３８を備えて構成している。
【００５１】
上記構成により、上記ヘッドボード１３は、合板などを使用せずに形成することができ、合板などで形成したベッド１１ボードのように、ホルムアルデヒドなどの有害な化学物質を含む接着剤を使用しないで製造することができるため、ホルマリン臭が発生せず、発ガン性等のおそれもないため、快適、且つ、安全に使用することができる。
【００５２】
また、上記ヘッドボード１３は、無垢材で形成したベッド１１ボードのように重たくいため、運搬、組み立てを容易に行うことができる。さらに、反りや割れが発生することがなく、コストを抑えることができる。
【００５３】
さらにまた、表面側が傷つくことがなく、また、保温性、肌触りに優れたヘッドボード１３を構成することができる。
【００５４】
また、本実施形態のカバー体３５には、上下方向Ｚに伸びる複数の溝部４２を幅方向Ｗへ配設し、上記ヘッドボード１３を平面視凹凸形状に形成している。
【００５５】
上記構成により、クッション部材３８が幅方向Ｗへ位置ずれしたり、時間の経過とともにずれ下がってくるなどして型くずれしないよう構成することができる。
【００５６】
上述したように、上記ヘッドボード１３の上記ベッド本体１２と対向する側の表面についても、平面視凹凸形状で形成されているため（図３参照）、該ヘッドボード１３表面の凸部５１が、ベッド本体１２の表面を覆う張地２９や、必要に応じて載置される布団やカバー（シーツ）に、しっかりとフィット（当接）する。
【００５７】
このため、布団やカバーなど（図示せず）には、ヘッドボード１３との間において強い摩擦力が発生し、寝返りをうってもベッド本体１２に対して位置ずれし難くなり、ずれ落ちることを防ぐことができる。
【００５８】
さらにまた、例えば、使用者がヘッドボード１３を背凭れとして使用した場合、ヘッドボード１３表面の凸部５１が背中部分に押し当たり、指圧効果を得ることができる。
【００５９】
また、使用者がヘッドボード１３に凭れた場合においても、ヘッドボード１３表面と背中との間において溝部４２が確保されることにより通気性に優れ、読書などで長時間凭れても、背中が蒸れることがない。  
さらに、上記ヘッドボード１３の表面の凸部５１が背中にフィットするため、摩擦力が大きくなり、背中がずれ下がることもない。従って、使用者は、ヘッドボード１３を背凭れとして快適に使用することができる。
【００６０】
さらにまた、ヘッドボード１３は、凹凸形状であることにより立体感を醸し出すことができ、優れたデザイン性を有して構成することができる。
【００６１】
また、ヘッドボード１３のカバー体３５は、上記フレーム３４に対して着脱可能な袋状に構成している。  
上記構成により、ヘッドボード１３は、カバー体３５をフレーム３４に被覆するだけで、クッション部材３８とフレーム３４とを容易に一体化して構成することができる。
【００６２】
カバー体３５は、フレーム３４から容易に取り外すことができるため、必要に応じて丸洗いすることも可能となる。
【００６３】
特に、カバー体３５を、予め表面を凹凸形状を有した袋状に形成した後で、芯材に被覆して一体に構成することができるため、容易に表面が凹凸形状のヘッドボード１３を製造することができる。
【００６４】
また、上記カバー体３５は、表地３７と、不織布からなる裏地３６と、上記表地３７と上記裏地３６との間に配した上記クッション部材３８とを積層した積層シート状部材４６で構成し、上記溝部４２を、上記表地３７、上記裏地３６、及び、上記クッション部材３８を一体に縫着する縫着ライン４１により形成している。
【００６５】
このように積層シート状部材４６は、上記クッション部材３８をその両側から表地３７と裏地３６とで挟み込んで一体にした構成であり、不織布からなる裏地３６がクッション部材３８に絡みつくため、クッション部材３８が型崩れすることを防ぐことができる。
【００６６】
さらに、複数の縫着ライン４１を形成することで、上記表地３７、上記裏地３６、及び、上記クッション部材３８を一体化することができ、耐久性に優れたヘッドボード１３を構成することができるとともに、表面を凹凸形状に構成することができる。
【００６７】
以下では、他の実施形態におけるベッド２１について図７を用いて説明する。  
但し、以下で説明するベッド２１のうち、上述した実施形態におけるベッド１１と同様の構成については、同一の符号を付して、その説明を省略する。
【００６８】
本実施形態におけるベッド２１は、ベッド本体１２に、該ベッド本体１２を支持する支持脚部５３を備え、上記ヘッドボード２３と上記支持脚部５３とを一体に構成している。
【００６９】
詳しくは、図７に示すように、ベッド２１は、ヘッドボード２３の下部からさらに下方向へ直線状に伸びる支持脚部５３を備え、該支持脚部５３の下端部には、接地面に接地可能なキャスタ１０を備えている。
【００７０】
ヘッドボード２３のフレーム３４は、外周形状を構成するコの字型をした部分の幅方向Ｗの両側部分を、下端部分から垂下させた形状で支持脚部５３と一体に構成している。  
なお、本実施形態のベッド２１には、ヘッドボード２３と一体の支持脚部５３を備えているため、上記頭部側支持脚２７Ａを備えずに構成している。
【００７１】
上記構成によれば、支持脚部５３とヘッドボード２３とを一体に構成することができるため、部品点数を減らして簡素に構成とすることができ、ヘッドボード２３をベッド本体１２に取り付ける際に支持脚部５３も同時に取り付けることができるため、容易に製造することができる。
【００７２】
上述した実施形態と、この考案の構成との対応において、
ベッド１１，２１は、寝台に対応し、
ベッド本体１２は、寝台本体に対応し、
フレーム３４、及び／又は、ＰＰバンド５２は、芯材に対応するも、
この考案は、上述の実施形態の構成のみに限定されるものではなく、多くの実施の形態を得ることができる。
【符号の説明】
【００７３】
１１，２１…ベッド
１２…ベッド本体
１３，２３…ヘッドボード
３４…フレーム
３５…カバー体
３６…裏地
３７…表地
３８…クッション部材
４１…縫着ライン
４２…溝部
４６…積層シート状部材
５２…ＰＰバンド
５３…支持脚部
【図１】
0003149408.tif 000003
【図２】
0003149408.tif 000004
【図３】
0003149408.tif 000005
【図４】
0003149408.tif 000006
【図５】
0003149408.tif 000007
【図６】
0003149408.tif 000008
【図７】
0003149408.tif 000009